(57)【要約】【課題】複数の長尺状発光体を同時に簡単に使用することのできる発光体保持具を提供する。【解決手段】発光体保持具１は、複数の化学発光体４のパッド部４１を同時に保持し得る保持部２と、手で持つことのできる把持部３とを備え、保持部２は、開閉可能な第１の基体２１と第２の基体２２とを備えており、開状態で化学発光体４のパッド部４１を保持部２の内部に収納することができ、閉状態で収納した化学発光体４のパッド部４１を保持することができる。【選択図】図１
0003125325.tif 000002
【実用新案登録請求の範囲】
【請求項１】
複数の長尺状発光体の一端部を同時に保持し得る保持部と、手で持つことのできる把持部とを備えた発光体保持具であって、
前記保持部は、開閉可能な第１の基体と第２の基体とを備えており、開状態で長尺状発光体の一端部を前記保持部の内部に収納することができ、閉状態で前記収納した長尺状発光体の一端部を保持することができる
ことを特徴とする発光体保持具。
【請求項２】
前記把持部は、前記保持部の第１の基体に連続する第１の基体と、前記保持部の第２の基体に連続する第２の基体とを備えており、前記保持部の開閉に伴って開閉されることを特徴とする請求項１に記載の発光体保持具。
【請求項３】
前記保持部は、前記保持部の一端部側から複数の長尺状発光体が突出するように前記複数の長尺状発光体を保持し、
前記把持部は、前記保持部の他端部側に設けられていることを特徴とする請求項１又は２に記載の発光体保持具。
【請求項４】
前記保持部は、複数の長尺状発光体が略扇型に配列されるように前記複数の長尺状発光体を保持することを特徴とする請求項３に記載の発光体保持具。
【請求項５】
前記長尺状発光体は、拡径部を有しており、
前記保持部は、前記保持部の内部に収納した前記長尺状発光体の拡径部に係合する係合部を備えていることを特徴とする請求項１〜４のいずれかに記載の発光体保持具。
【請求項６】
前記係合部は、前記保持部の第１の基体に形成された第１の係合部と、前記保持部の第２の基体に形成された第２の係合部とで構成されることを特徴とする請求項５に記載の発光体保持具。
【請求項７】
前記保持部は、前記保持部の第１の基体と前記保持部の第２の基体とを開閉可能に連結するヒンジ部を有することを特徴とする請求項１〜６のいずれかに記載の発光体保持具。
【請求項８】
前記ヒンジ部は、前記保持部が保持した複数の長尺状発光体が突出する側に設けられていることを特徴とする請求項７に記載の発光体保持具。
【請求項９】
前記保持部は、前記保持部の第１の基体と前記保持部の第２の基体とを係止する係止部を有することを特徴とする請求項１〜８のいずれかに記載の発光体保持具。
【請求項１０】
前記把持部は、略長円状の穴が形成されたリング状の形状を有することを特徴とする請求項１〜９のいずれかに記載の発光体保持具。
【請求項１１】
前記リング状の把持部の一部には、前記把持部の外側に向かって突出する凸部が設けられていることを特徴とする請求項１０に記載の発光体保持具。
【請求項１２】
前記把持部には、貫通孔が形成されていることを特徴とする請求項１〜１１のいずれかに記載の発光体保持具。
【請求項１３】
前記保持部の第１の基体及び／又は前記保持部の第２の基体には、窓部が形成されていることを特徴とする請求項１〜１２のいずれかに記載の発光体保持具。
【請求項１４】
前記保持部の第１の基体及び／又は前記保持部の第２の基体には、シールの貼付又は印刷が可能な平面部が設けられていることを特徴とする請求項１〜１３のいずれかに記載の発光体保持具。
【考案の詳細な説明】
【技術分野】
【０００１】
本考案は、複数の発光体を同時に保持し得る発光体保持具に関する。
【背景技術】
【０００２】
従来、発光体として、筒状の容器内に２種の液体が充填され、その容器内で２種の液体が混合されることにより発光する化学発光体が知られている。この化学発光体は、発熱がなく安全性に優れており、一定時間発光し続けるため、様々な用途に用いられている。
【０００３】
例えば、コンサートやイベント等においては、幻想的な空間を作るために、上記化学発光体は、手に持って上下左右に振るなどして使用されている。そして、演出効果をより高めるために、１人で複数本の化学発光体を使用することがあり、この場合、複数本の化学発光体をまとめて握ったり、指と指の間に挟んだりして使用している。
【考案の開示】
【考案が解決しようとする課題】
【０００４】
しかしながら、化学発光体は所定の太さを有するものであるため、複数本の化学発光体をまとめて握ることは難しく、また、化学発光体を指と指の間に挟んだ場合には、化学発光体を振っている間に、汗等によって化学発光体が指と指の間からすり抜けてしまうことがあった。このように、コンサートやイベント等で複数本の化学発光体を使いこなすことは困難であった。
【０００５】
本考案は、このような実状に鑑みてなされたものであり、複数の長尺状発光体を同時に簡単に使用することのできる発光体保持具を提供することを目的とする。
【課題を解決するための手段】
【０００６】
上記課題を解決するために、本考案は、複数の長尺状発光体の一端部を同時に保持し得る保持部と、手で持つことのできる把持部とを備えた発光体保持具であって、前記保持部は、開閉可能な第１の基体と第２の基体とを備えており、開状態で長尺状発光体の一端部を前記保持部の内部に収納することができ、閉状態で前記収納した長尺状発光体の一端部を保持することができることを特徴とする発光体保持具を提供する（請求項１）。
【０００７】
上記考案（請求項１）に係る発光体保持具によれば、複数の長尺状発光体を同時に保持することができ、しかも第１の基体と第２の基体とを開閉するだけで、複数の長尺状発光体を容易に着脱することが可能である。また、発光体保持具の把持部を手で持つことで、複数の長尺状発光体を同時に簡単に使用することができる。
【０００８】
上記考案（請求項１）においては、前記把持部は、前記保持部の第１の基体に連続する第１の基体と、前記保持部の第２の基体に連続する第２の基体とを備えており、前記保持部の開閉に伴って開閉されることが好ましい（請求項２）。
【０００９】
長尺状発光体は、保持部の第１の基体と第２の基体との間に収納され、保持されるが、上記考案（請求項２）によれば、把持部の第１の基体が保持部の第１の基体に連続して設けられ、把持部の第２の基体が保持部の第２の基体に連続して設けられていることで、長尺状発光体を保持部により保持した状態で把持部を握っていれば、保持部の第１の基体と第２の基体とが開かず、長尺状発光体が保持部から脱落し難い。
【００１０】
上記考案（請求項１，２）において、前記保持部は、前記保持部の一端部側から複数の長尺状発光体が突出するように前記複数の長尺状発光体を保持し、前記把持部は、前記保持部の他端部側に設けられていることが好ましい（請求項３）。
【００１１】
上記考案（請求項３）において、前記保持部は、複数の長尺状発光体が略扇型に配列されるように前記複数の長尺状発光体を保持することが好ましい（請求項４）。かかる考案（請求項４）によれば、複数の長尺状発光体を意匠的に美しい形で保持することができる。
【００１２】
上記考案（請求項１〜４）においては、前記長尺状発光体は拡径部を有しており、前記保持部は、前記保持部の内部に収納した前記長尺状発光体の拡径部に係合する係合部を備えていることが好ましい（請求項５）。
【００１３】
上記考案（請求項５）によれば、長尺状発光体の拡径部と保持部の係合部とが係合することで、長尺状発光体が保持部から抜け難いものとなる。
【００１４】
上記考案（請求項５）においては、前記係合部は、前記保持部の第１の基体に形成された第１の係合部と、前記保持部の第２の基体に形成された第２の係合部とで構成されることが好ましい（請求項６）。
【００１５】
上記考案（請求項６）によれば、保持部の第１の基体と第２の基体を閉じるときに、第１の係合部と第２の係合部とで長尺状発光体を挟むこととなり、長尺状発光体の収納および脱落防止を簡単に行うことができる。
【００１６】
上記考案（請求項１〜６）においては、前記保持部は、前記保持部の第１の基体と前記保持部の第２の基体とを開閉可能に連結するヒンジ部を有することが好ましい（請求項７）。かかる考案（請求項７）によれば、保持部の第１の基体および第２の基体の開閉、ひいては長尺状発光体の着脱を容易に行うことができる。
【００１７】
上記考案（請求項７）においては、前記ヒンジ部は、前記保持部が保持した複数の長尺状発光体が突出する側に設けられていることが好ましい（請求項８）。
【００１８】
上記考案（請求項８）によれば、長尺状発光体を保持した保持部の第１の基体と第２の基体が、アクシデント等によって仮に少し開いた場合でも、第１の基体と第２の基体はヒンジ部によって連結されているため、長尺状発光体はヒンジ部側に抜け難い。
【００１９】
上記考案（請求項１〜８）においては、前記保持部は、前記保持部の第１の基体と前記保持部の第２の基体とを係止する係止部を有することが好ましい（請求項９）。かかる考案（請求項９）によれば、保持部の第１の基体と第２の基体が開き難くなり、長尺状発光体が保持部から脱落し難くなる。
【００２０】
上記考案（請求項１〜９）においては、前記把持部は、長円状の穴が形成されたリング状の形状を有することが好ましい（請求項１０）。かかる考案（請求項１０）によれば、把持部が握り易いものとなり、発光体保持具をしっかりと手に持つことができる。
【００２１】
上記考案（請求項１０）においては、前記リング状の把持部の一部には、前記把持部の外側に向かって突出する凸部が設けられていることが好ましい（請求項１１）。かかる考案（請求項１１）によれば、把持部を手で持ったときに凸部を手のひらの窪みに当てることにより、把持部がより握り易いものとなり、発光体保持具をしっかりと手に持って振ることができる。
【００２２】
上記考案（請求項１〜１１）においては、前記把持部には、貫通孔が形成されていることが好ましい（請求項１２）。かかる考案（請求項１２）によれば、例えば、貫通孔に紐を通して、その紐を首に掛けることで、発光体保持具を首から下げることができる。
【００２３】
上記考案（請求項１〜１２）においては、前記保持部の第１の基体及び／又は前記保持部の第２の基体には、窓部が形成されていることが好ましい（請求項１３）。
【００２４】
長尺状発光体として特に化学発光体を使用する場合、化学発光体は、発光させない限りその発光色が不明であるため、化学発光体の一端部に設けられたパッド等に発光色が色付けられていることが多い。上記考案（請求項１３）によれば、上記のような長尺状発光体の一端部を、窓部を有する保持部で保持することで、長尺状発光体が発光していなくても、その一端部の色、すなわち発光色を窓部を通じて視認することができる。
【００２５】
上記考案（請求項１〜１３）においては、前記保持部の第１の基体及び／又は前記保持部の第２の基体には、シールの貼付又は印刷が可能な平面部が設けられていることが好ましい（請求項１４）。この平面部は、ポップスペース等として使用することができる。
【考案の効果】
【００２６】
本考案に係る発光体保持具によれば、複数の長尺状発光体を同時に保持することができ、しかも第１の基体と第２の基体とを開閉するだけで、複数の長尺状発光体を容易に着脱することが可能である。また、発光体保持具の把持部を手で持つことで、複数の長尺状発光体を同時に簡単に使用することができる。
【考案を実施するための最良の形態】
【００２７】
以下、本考案の一実施形態について、図面に基づいて説明する。
図１（Ａ）は、本実施形態に係る発光体保持具の平面方向から見た斜視図であり、図１（Ｂ）は、本実施形態に係る発光体保持具の底面方向から見た斜視図であり、図２は、本実施形態に係る発光体保持具が開いた状態を示す斜視図である。また、図３（Ａ）は、本実施形態に係る発光体保持具の平面図であり、図３（Ｂ）は、図３（Ａ）のＡ−Ａ断面図であり、図３（Ｃ）は、図３（Ａ）のＢ−Ｂ断面図である。
【００２８】
本実施形態に係る発光体保持具１が保持する長尺状発光体は、図２及び図３に示すように、円筒状の容器からなる発光部４２と、発光部４２の一端部の外周に設けられた円筒状のパッド（この部分を「パッド部４１」という。）とを備えたスティック状の化学発光体４である。
【００２９】
ポリエチレン、ポリプロピレン等の容器からなる発光部４２の中には、ガラスアンプルが収容されており、容器内及びアンプル内のそれぞれに、混合時に化学発光を呈する２種の液体が充填されている。そして、発光部４２を折り曲げると、ガラスアンプルが割れて、２種の液体が混合され、発光する。
【００３０】
上記パッドは、発光部４２の発光色に着色されており、パッドの化学発光体４の中心側の端部は、化学発光体４における拡径部４１１となっている。
【００３１】
図１及び図３に示すように、本実施形態に係る発光体保持具１は、複数の化学発光体４を同時に保持し得る保持部２と、手に持つことのできる把持部３とから構成されており、プラスチックを成型してなる。
【００３２】
保持部２は、保持部２の一端部側から複数の化学発光体４が突出するように複数の化学発光体４を保持し、把持部３は、その保持部２の他端部側に設けられている。
【００３３】
本実施形態における保持部２は、平面視略扇状の形状を有し、複数の化学発光体４が略扇型に配列されるように、それら化学発光体４を保持する。図１及び図２に示すように、保持部２は、第１の基体２１と第２の基体２２とを備えて構成されており、両者はヒンジ２３によって開閉可能に連結されている。
【００３４】
第１の基体２１の内側には、化学発光体４のパッド部４１を収納し得る収納部２１１が複数形成されており、第２の基体２２の内側には、化学発光体４のパッド部４１を収納し得る収納部２２１が複数形成されている。本実施形態では、第１の基体２１の収納部２１１は略半円柱状の形状を有し、その全体でパッド部４１を保持する。一方、第２の基体２２の収納部２２１は、その両端部に略半円柱状の凹部を有し、当該凹部で化学発光体４のパッド部４１の両端部を支持する。
【００３５】
保持部２の第１の基体２１と第２の基体２２とを閉状態にすると、第１の基体２１の収納部２１１と第２の基体２２の収納部２２１により、化学発光体４のパッド部４１の収納スペースが形成される。
【００３６】
なお、本実施形態における保持部２の第１の基体２１及び第２の基体２２には、それぞれ５つの収納部２１１，２２１（パッド部４１の収納スペース）が形成されており、５本の化学発光体４を保持し得るようになっているが、その数は特に限定されるものではない。
【００３７】
図２に示すように、第１の基体２１の収納部２１１の一端部（把持部３の反対側）には、円弧状の第１の係合部２０１が設けられており、第２の基体２２の収納部２２１の一端部（把持部３の反対側）には、円弧状の第２の係合部２０２が設けられている。第１の基体２１と第２の基体２２とを閉状態にすることで、第１の係合部２０１と第２の係合部２０２とにより、円形状の係合部２００が構成される。この円形状の係合部２００の内側には、化学発光体４の発光部４２は貫通するが、化学発光体４のパッド部４１は貫通しない大きさの円形の穴が形成される。
【００３８】
上記円形状の係合部２００と、化学発光体４の拡径部４１１とが係合することで、化学発光体４が保持部２から抜け難いものとなる。
【００３９】
保持部２の第１の基体２１と第２の基体２２とを開閉可能に連結するヒンジ２３は、保持部２の係合部２００側に設けられており、本実施形態では、５つのパッド部４１の収納スペース（収納部２１１，２２１）のそれぞれの間に１つずつ、合計４つ設けられている。
【００４０】
ヒンジ２３は、保持部２が保持した化学発光体４の発光部４２が突出する側に設けられているが、これにより、保持部２の第１の基体２１と第２の基体２２が、アクシデント等によって仮に少し開いた場合でも、第１の基体２１と第２の基体２２はヒンジ２３によって連結されているため、化学発光体４はヒンジ２３側に抜け難い。
【００４１】
保持部２の両側部には、第１の基体２１と第２の基体２２とを係止するための係止部２４が設けられている。係止部２４は、第１の基体２１に形成された凹部２４１と、第２の基体２２に形成された係止爪２４２とから構成されており、凹部２４１に係止爪２４２が係合することで、第１の基体２１と第２の基体２２とを係止することができる（図３（Ｃ）参照）。
【００４２】
第１の基体２１には、５つの収納部２２１のそれぞれに連通する、長円状の窓部２５が５つ形成されており、収納部２２１に収納された化学発光体４のパッドの色、すなわち化学発光体４の発光色を、この窓部２５から視認することができるようになっている。
【００４３】
第２の基体２２には、シールの貼付又は印刷が可能な平面部２６が形成されている。この平面部２６は、ポップ（ＰＯＰ）スペース等として使用することができる。本実施形態における平面部２６は、略扇状の形状を有するが、これに限定されるものではない。
【００４４】
図１及び図３に示すように、把持部３は、略長円状の穴が形成されたリング状の形状を有する。この略長円状の穴の長径及び短径は、略長円状の穴に手を挿入して把持部３を握ることができる大きさであれば、特に限定されるものではない。
【００４５】
図２に示すように、把持部３は、保持部２の第１の基体２１に連続して設けられている第１の基体３１と、保持部２の第２の基体２２に連続して設けられている第２の基体３２とから構成されている。かかる構成によれば、化学発光体４を保持部２により保持した状態で把持部３を握っていれば、把持部３の第１の基体３１と第２の基体３２、ひいては保持部２の第１の基体２１と第２の基体２２とが開かず、化学発光体４が保持部２から脱落することを防止することができる。
【００４６】
図２及び図３（Ｂ）に示すように、第１の基体３１及び第２の基体３２のそれぞれの内側には、係止爪３６が設けられており、係止爪３６同士が係合することで、把持部３の第１の基体３１と第２の基体３２とを係止することができる。
【００４７】
したがって、発光体保持具１の保持部２及び把持部３の第１の基体２１，３１と第２の基体２２，３２とは、上記保持部２の２つの係止部２４と把持部３の係止爪３６の３点で係止されて互いに開き難くなっており、保持している化学発光体４が脱落し難いものとなっている。
【００４８】
把持部３の一端部（保持部２の反対側）の中央部には、把持部３の外側に向かって突出する凸部３４が形成されている。把持部３を手で持ったときに、この凸部３４を手のひらの窪みに当てることにより、把持部３が非常に握り易く、したがって、発光体保持具１をしっかりと手に持って振ることができる。
【００４９】
凸部３４には、把持部３を厚さ方向に貫通する貫通孔３５が形成されている。この貫通孔３５に紐を通して、その紐を首に掛けることで、発光体保持具１を首から下げることができる。
【００５０】
以上のような構成を有する発光体保持具１を使用するには、保持部２及び把持部３の第１の基体２１，３１と第２の基体２２，３２とを開き、５本の化学発光体４の発光部４２を、第１の係合部２０１及び第２の係合部２０２の内側の空隙に挿入して、保持部２から突出させる。そして、各化学発光体４のパッド部４１を、第１の基体２１の収納部２１１と第２の基体２２の収納部２２１とに収納するようにして、保持部２及び把持部３の第１の基体２１，３１と第２の基体２２，３２とを閉じ、保持部２の係止部２４を係合させるとともに、把持部３の係止爪３６を係合させる。
【００５１】
このとき、各化学発光体４の発光部４２は、第１の係合部２０１と第２の係合部２０２とからなる円形状の係合部２００の内側の穴を貫通し、各化学発光体４のパッド４１の端部の拡径部４１１は、保持部２の係合部２００に係合する。
【００５２】
上記のようにして、発光体保持具１によって複数の化学発光体４を同時に保持することができる。しかも保持部２及び把持部３の第１の基体２１，３１と第２の基体２２，３２とを開閉するだけで、複数の化学発光体４を容易に保持させることができる。
【００５３】
上記のように複数の化学発光体４を保持した発光体保持具１の把持部３を手で持つことで、複数の化学発光体４を同時に簡単に振ることができる。なお、化学発光体４の発光作業（発光部４２の折り曲げ）は、所望の段階で行えばよい。
【００５４】
上記発光体保持具１においては、発光体保持具１を上下左右に振ったとしても、化学発光体４の拡径部４１１が保持部２の係合部２００に係合しているため、化学発光体４は発光体保持具１から抜け難い。また、前述した通り、保持部２及び把持部３の第１の基体２１，３１と第２の基体２２，３２とは開き難いものとなっているため、化学発光体４は発光体保持具１から脱落し難いものとなっている。
【００５５】
化学発光体４の発光が終了しても発光体保持具１を使用する場合には、保持している化学発光体４を交換する必要があるが、その場合には、保持部２及び把持部３の第１の基体２１，３１と第２の基体２２，３２とを開いて、各化学発光体４を抜き取り、新しい化学発光体４を上記と同様にしてセットすればよい。このように、上記発光体保持具１によれば、複数の化学発光体４の着脱が非常に容易である。
【００５６】
以上説明した実施形態は、本考案の理解を容易にするために記載されたものであって、本考案を限定するために記載されたものではない。したがって、上記実施形態に開示された各要素は、本考案の技術的範囲に属する全ての設計変更や均等物をも含む趣旨である。
【００５７】
例えば、長尺状発光体は、化学発光体４でなくてもよく、発光ダイオード、有機ＥＬ素子等を利用したものであってもよい。
【産業上の利用可能性】
【００５８】
本考案に係る発光体保持具は、コンサート等で複数の化学発光体を同時に振るのに有用である。
【図面の簡単な説明】
【００５９】
【図１】（Ａ）は本考案の一実施形態に係る発光体保持具の平面方向から見た斜視図であり、（Ｂ）は同実施形態に係る発光体保持具の底面方向から見た斜視図である。
【図２】同実施形態に係る発光体保持具が開いた状態を示す斜視図である。
【図３】（Ａ）は同実施形態に係る発光体保持具の平面図であり、（Ｂ）は（Ａ）のＡ−Ａ断面図であり、（Ｃ）は（Ａ）のＢ−Ｂ断面図である。
【符号の説明】
【００６０】
１…発光体保持具
２…保持部
２１…第１の基体
２２…第２の基体
２３…ヒンジ（ヒンジ部）
２４…係止部
２４１…凹部
２４２…係止爪
２５…窓部
２６…平面部
２００…係合部
２０１…第１の係合部
２０２…第２の係合部
３…把持部
３１…第１の基体
３２…第２の基体
３４…凸部
３５…貫通孔
４…化学発光体（長尺状発光体）
４１…パッド部
４１１…拡径部
４２…発光部
【図１】
0003125325.tif 000003
【図２】
0003125325.tif 000004
【図３】
0003125325.tif 000005